(57)【要約】【課題】衰弱していたり脱力状態の者が用便をしようとする時、従来ならば、その本人とその世話をする付添い者の両方が体力と精神的な負担を多少なり受けるという問題があったが、この負担を解決できないかという課題。【解決手段】電動車椅子に座ったまま下半身の衣服を着脱しそのままトイレで用便をすることができるトイレの発明で、座面部分を左側の臀部支持部、中央の臀部支持部、右側の臀部支持部と３部分に分けて、右側下半身の衣服を脱ぐ場合、中央の臀部支持部が機械的に下降した状態の時、専用のトイレに車椅子を合体させ、図２のように右側の臀部支持部が下降した際、座る者の背面にある上半身支持部が上半身を支えながら左側に移動した時に右側の下半身の衣服を脱ぎ、次にこれと左右逆の機械の動きにより左側の衣服を脱いで用便を済ませ臀部を洗浄し、その後、臀部支持部の交互に下降と上昇する動きにより下半身の着衣ができる着脱衣補助トイレ。【選択図】図２
2014091029.tif 000002
【特許請求の範囲】
【請求項１】
屋内で電動車椅子に座ったまま下半身の衣服を着脱しそのままトイレで用便をすることができるトイレの発明で、電動車椅子の座面部分を左側の臀部支持部、中央の臀部支持部、右側の臀部支持部と３部分に分けて、右側下半身の衣服を脱ぐ場合、中央の臀部支持部が機械的に下降した状態の時、専用のトイレに車椅子を合体させ、次に右側の臀部支持部が下降した際、座る者の背面にある上半身支持部が上半身を支えながら左側に移動し左半身に体重が傾くような体勢で上半身を支えた時に右側の下半身の衣服を脱ぎ、次にこれと左右逆の機械の動きにより左側の衣服を脱いで、脱衣が終了後、左右の臀部支持部が下降し用便を済ませることができるようになり、汚物を排水した後、臀部の温水洗浄機を使用し、その洗浄が終了後、左右の臀部支持部が上昇し、臀部支持部の交互に下降と上昇する動きにより下半身の着衣ができるという機能を持った着脱衣補助トイレ。
【発明の詳細な説明】
【技術分野】
【０００１】本発明は、日常的なトイレに於いて心身にかかるストレスを軽減するための下半身の衣服の着脱補助機能付き電動車椅子を備えたトイレに関するものである。
【背景技術】
【０００２】主に室内で電動車椅子に乗ったまま下半身の衣服の着脱ができ、そのまま用便ができるトイレ機器を発明した。
【発明の概要】
【発明が解決しようとする課題】
【０００３】衰弱していたり脱力状態の者が用便をしようとする時、従来ならば、その本人とその世話をする付添い者の両方が体力と精神的な負担を多少なり受け、用便の回数を極端に減らしたり、体の支えが充分ではない状態で立ちあがってしまってバランスを崩して転び怪我をしたり、多少なりとも自尊心が傷ついたりするという問題があったが、この負担を軽減する為に機器の補助により座りながら衣服の着脱をし、用便ができるようにテクノロジーで解決できないかという課題。
【課題を解決するための手段】
【０００４】着脱衣補助トイレの電動車椅子には、座る者の臀部を支える椅子状のクッション付きの座面があり、全体として座台を３つの部分に分割している。右足の太ももの下側と右側の臀部、それと左右対称側には左足の太ももの下側と左側の臀部をそれぞれ独立して支えている。そして、それらに左右を挟まれた中央部分には、太ももの内側下部と中央の臀部を支持するクッション付きの細長い座面がある。始めにユーザーは着脱衣補助トイレの専用の電動車椅子に乗ってトイレに向かい、次に、座る者か付添い者のいずれかがトイレに入る前にコントローラーで決められた動作の流れを選択し、この機器に入力をする。電動車椅子はそれぞれの座台下部に取り付けられた電動アクチュエーターによって座面の上げ下げを行い、座る者の下半身の着替えを補助する。その機械の動作の順序として、まず、中央に位置する太ももの内側と臀部支持部を下げて臀部から遠く離し、座る者か付添い者のいずれかが電動車椅子を専用のトイレにセットする。その後、右側の支持部を適度に下降させ、右側臀部の下に一定の隙間が確保されたら右側の臀部部分の脱衣をし、また、左側も同様の動作を行う事で下半身部の脱衣ができる。その際、下半身の重心の変化に伴って必然的に起こる上半身の姿勢の不均衡を是正する為、着座した者の腰から上の部分を支持する上半身支持部が下半身の脱衣をスムーズにするように、右下半身の脱衣ならば上半身は左側に、左下半身ならば右側というようにモーターの力で左右方向に交互にゆっくり動かされながら座った者の上半身を安全に支持し、その結果、座る者の姿勢の均衡は支持される。その際、座る者の前倒れが予測される場合には前倒れ防止ストッパーを使う。座る者の下半身の脱衣が終わったら、左右の臀部支持部は床と平行に保たれた後、専用のトイレの高さに合うように下降し、専用のトイレが座る者の臀部にセットされる。その後、座る者は用便を済ませる。用便は水によって流され座る者の臀部が温水によって洗われる。次に、左右どちらかの臀部支持部が上がり、その上がった側に上半身支持部もスライドし、臀部をトイレットペーパー等の水滴を取るもので拭き取った後、トイレットペーパーは排水と一緒に流される。次に、座る者は下半身の着衣を左右の臀部支持部の動きによって行った後、付添い人によって電動車椅子は専用のトイレから引き離される。その後、中央支持部の座面を上げ電動車椅子となる。
【発明の効果】
【０００５】従来の一般的な技術では、座る者とその世話をする付添い者の両方に体力面と精神面に多少の負担が見られた。しかし、着脱衣補助トイレを使用すれば、立たずに下半身部の衣服の着脱が容易になる。専用のトイレはトイレ使用時の余分な残り香を防ぐために換気ファン装置を備えトイレルームなどの別室に設置され、ユーザーの自尊心を多少なりとも保護をする。加えて、着脱衣補助トイレの機能を使ったオムツなどの取り換えも容易にできる。座る者とその世話をする付添い者の体力と精神的な負担が程良く減少し、体力面と精神面に程良い余裕が持てる。
【図面の簡単な説明】
【０００６】
【図１】着脱衣補助トイレの車椅子部分を立体的に示した説明図である。
【図２】着脱衣補助トイレの車椅子部分の実施方法を示した説明図である。
【図３】着脱衣補助トイレの車椅子部分の内部の構造を横断面を用いて示した説明図である。
【図４】着脱衣補助トイレの専用のトイレ部分を立体的に示した説明図である。
【発明を実施するための形態】
【０００７】図１と図４で示した着脱衣補助トイレを使う時、座った者か付添い者は座る者が終始着座をしている状態で簡素にパターン化された下半身の着替えの指示やトイレの使用の指示をコントローラーを使って選択し機器に入力をする。着脱衣補助トイレの通常運転以外のトイレの清掃等もパターン化された指示をコントローラーを使って選択して座った者か付添い者が自己判断で必要に応じた作動を行う。
【実施例】
【０００８】図２と図５は具体的な実施例で、機構の作動の変動を利用して着脱衣補助トイレの使用が行われる。
【産業上の利用可能性】
【０００９】少子高齢化に伴い、在宅での余生を望む人が過半数を越え、ユーザー及び家族の肉体面、精神面の負担を軽減する機器の普及が期待されている中、着脱衣補助トイレは有効な機器と言える。更にサービス産業分野に於いても着脱衣補助トイレが利用されることでサービスの質が向上することが考えられる。サービス産業に労働人口バランスを傾け過ぎない為にも着脱衣補助トイレは有効利用できる可能性が高い。経済波及効果としては、着脱衣補助トイレ使用の必要性に応じ、建築産業によるバリアフリーや間取りなどの簡単な改築施工や新規施工も期待できる。
【符号の説明】
【００１０】１  付添者用ステアリングコントローラー
２  上半身支持部
３  上半身支持スライド用モーター部
４  前倒れ防止ストッパー部
５  座る者用コントローラ
６  手摺り及び前ハンドル
７  右側臀部支持部
８  中央臀部支持部
９  左側臀部支持部
１０  座台支持レール
１１  車体ストッパー
１２  足乗せ台
１３  サイドストッパー
１４  ブレーキ用アクチュエーター
１５  左臀部支持部上下動用アクチュエーター
１６  駆動用車輪
１７  バッテリー
１８  駆動用モーター部
１９  回転自在式車輪
２０  着脱衣補助トイレに座る者の断面
２１  下半身の衣服
２２  電動車椅子
２３  専用トイレ
２４  臀部支持上下動アクチュエーター
２５  水洗弁作動ランプ
２６  水洗用貯水タンク
２７  水洗ノブ
２８  換気ファン
２９  トイレ突起部
３０  電動車椅子接続感知スイッチ
３１  温水及び水洗制御装置
３２  電動車椅子接続誘導レール
【図１】
2014091029.tif 000003
【図２】
2014091029.tif 000004
【図３】
2014091029.tif 000005
【図４】
2014091029.tif 000006
【手続補正書】
【提出日】平成25年5月7日(2013.5.7)
【手続補正１】
【補正対象書類名】特許請求の範囲
【補正対象項目名】請求項１
【補正方法】変更
【補正の内容】
【請求項１】
屋内で便座を有する電動車椅子に座ったまま下半身の衣服を着脱しそのまま専用のトイレで用便をすることができる、電動車椅子と前記電動車椅子と合体する専用のトイレからなる着脱衣補助トイレの発明で、電動車椅子の座面部分を左側の臀部支持部、右側の臀部支持部とに分けて、下半身の衣服を脱ぐ場合、専用の車椅子を合体させ、右側の臀部支持部が下降した際、座る者の背面にある上半身支持部が上半身を支えながら左側に移動し左半身に体重が傾くような体勢で上半身を支えた時に右側の下半身の衣服を脱ぎ、次にこれと左右逆の機械の動きにより左側の衣服を脱いで、脱衣が終了後、左右の臀部支持部が下降し用便を済ませることができるようになり、汚物を排水した後、臀部の温水洗浄機を使用し、その洗浄が終了後、左右の臀部支持部が上昇し、臀部支持部の交互に下降と上昇する動きにより下半身の着衣ができるという機能をもった着脱衣補助トイレ。